(57)【要約】【課題】枠組み作業を容易にするとともに、左右縦枠端部の気水密性を確実に行うことができる建物外部開口用半外付けサッシの枠組み構造を提供する。【解決手段】左右縦枠３，４の両端を覆う閉塞部２２と、コーナー部に位置する上下枠１，２及び左右縦枠３，４のそれぞれの開口部１ａ，２ａ，３ａ，４ａに嵌合させるように直交する二方向に配設された嵌合部２３，２４と、を備えた連結具２１により、連結具２１の嵌合部２３，２４を上下枠１，２及び左右縦枠３，４のそれぞれの開口部１ａ，２ａ，３ａ，４ａの端に嵌合させるとともに、連結具２１の閉塞部２２を左右縦枠３，４の両端に当接し、左右縦枠３，４の建物外部に露出する部分の開口部３ａ，４ａの端を閉塞部２２により覆う状態で、コーナー部を、連結具の嵌合部２３，２４を介してビス６により固定して枠組みする。【選択図】図４
2005030015.tif 000002
【特許請求の範囲】
【請求項１】
長手方向の両端に開口を有し、該両端は長手方向に対し直交する本体部と、該本体部に設けられ、この本体部を建物開口部の躯体に取付けるための取付け片と、を備えた枠材で、上下枠及び左右縦枠を構成し、
前記上下枠の両端が前記左右縦枠の内周面に当接されて形成される四周のコーナー部は、連結具及びビスにより固定され、
前記上下枠及び左右縦枠の内周面には、嵌め殺し障子を装着する、建物外部開口部用半外付けサッシの枠組み構造であって、
前記連結具は、前記左右縦枠の建物外部に露出する部分の前記開口端を覆う閉塞部と、前記コーナー部に位置する上下枠及び左右縦枠のそれぞれの前記開口端に嵌合させるように直交する二方向に配設された嵌合部と、を備え、
前記連結具の嵌合部を前記上下枠及び左右縦枠のそれぞれの前記開口端に嵌合させるとともに、前記連結具の閉塞部を前記左右縦枠の前記開口端に当接し、前記左右縦枠の建物外部に露出する部分の前記開口端を前記閉塞部により覆う状態で、前記コーナー部を、前記連結具の嵌合部を介してビスにより固定して枠組みした、ことを特徴とする建物外部開口用半外付けサッシの枠組み構造。
【請求項２】
前記枠材の本体部は、断面略Ｃ型溝状で、前記建物の躯体に向かって溝が形成されており、該溝縁部に前記取付け片を備えた、請求項１記載の建物外部開口用半外付けサッシの枠組み構造。
【請求項３】
前記枠材の本体部は、該本体部の両端部で、かつ建物の躯体に対向する面が切り欠かれ、該切欠きは、この切欠きから前記開口端に前記連結具の嵌合部を嵌合可能に構成され、この切欠き縁部に前記取付け片を備えた、請求項１記載の建物外部開口用半外付けサッシの枠組み構造。
【請求項４】
前記上下枠及び左右縦枠は、実質的に同一の横断面を有する、請求項１乃至３のいずれか１項記載の建物外部開口用半外付けサッシの枠組み構造。
【請求項５】
前記連結具にはさらに、前記コーナー部に位置する前記上下枠及び左右縦枠のそれぞれの取付け片に当接し、これらを連結する連結片を備え、この連結片を介して、前記上下枠及び左右縦枠が建物開口部の躯体に取付けられる、請求項１乃至４のいずれか１項記載の建物外部開口用半外付けサッシの枠組み構造。
【請求項６】
前記連結具の閉塞部に封止材を設け、該封止材を介して前記左右縦枠の両端に当接させる構成とした、請求項１乃至５のいずれか１項記載の建物外部開口用半外付けサッシの枠組み構造。
【請求項７】
前記封止材が圧縮可能な材料からなり、前記左右縦枠の上端部の内方部分から上枠及び下枠の内方部分へとビスを打ち込むときに、封止材の圧縮代を見込んで、前記上枠及び下枠の内方部に形成されたビスホールへのビスの打ち込む位置を決めて、前記連結具の嵌合部を介してビスを打ち込み、ビスの止め付け状態で、前記左右縦枠の建物外部に露出する部分の前記開口端を前記閉塞部に押圧させ封止材を圧縮させて封止の強化を図っている、請求項６記載の建物外部開口用半外付けサッシの枠組み構造。
【発明の詳細な説明】
【０００１】
【発明の属する技術分野】
本発明は、店舗やビル外壁などのサッシの枠組み構造に関する。特に、半外付け（一部が外壁面より突出する）の鉄骨枠に取付ける嵌め殺しサッシに関する。
【０００２】
【従来の技術】
この種のサッシの枠組み構造としては、特許第３１８５８２６号（例えば、特許文献１）に示されたものがある。
これは、上枠と左右の縦枠の横断面は同形に形成され、上枠と下枠の各々の両端面が左右の縦枠に当接して結合され、縦枠の中空部の端部開口を遮蔽するキャップが縦枠の上部及び下部に取付けられたものである。
【特許文献１】
特許第３１８５８２６号公報（４頁、図１及び２）
【０００３】
【発明が解決しようとする課題】
しかしながら、この枠組み構造における遮蔽キャップと左右縦枠との固定は、該キャップに設けられた嵌合片や嵌合突起と左右縦枠の形成されている中空部との嵌合関係のみである。そのため、キャップと左右縦枠との結合状態は弱く、気水密性の観点から問題がある。
【０００４】
また、遮蔽キャップに取付けられた立ち上がり片により、建物の躯体に取付けられるものの、上下枠及び左右縦枠に設けられた躯体取付け片と一体となって躯体にビス等で固定されることはない。そのため、キャップの立ち上がり片を躯体に打ち付ける際に、キャップが左右縦枠の中空部の小口面（両端面）からずれてしまい、上記と同様に、気水密性に問題が生じる虞がある。
【０００５】
さらに、別の問題として、上下枠及び左右縦枠により形成されるコーナー部における枠材相互の固定は、２ヶ所ビス固定しなければならず、枠組み作業に多大な手間がかかるという問題がある。
【０００６】
そこで、本発明の主たる課題は、枠組み作業を容易にするとともに、左右縦枠端部の気水密性を確実にする、建物外部開口用半外付けサッシの枠組み構造を提供することにある。
【０００７】
【課題を解決するための手段】
上記課題を解決した本発明は、次のとおりである。
＜請求項１記載の発明＞
請求項１記載の発明は、長手方向の両端に開口を有し、該両端は長手方向に対し直交する本体部と、該本体部に設けられ、この本体部を建物開口部の躯体に取付けるための取付け片と、を備えた枠材で、上下枠及び左右縦枠を構成し、
前記上下枠の両端が前記左右縦枠の内周面に当接されて形成される四周のコーナー部は、連結具及びビスにより固定され、
前記上下枠及び左右縦枠の内周面には、嵌め殺し障子を装着する、建物外部開口部用半外付けサッシの枠組み構造であって、
前記連結具は、前記左右縦枠の建物外部に露出する部分の前記開口端を覆う閉塞部と、前記コーナー部に位置する上下枠及び左右縦枠のそれぞれの前記開口端に嵌合させるように直交する二方向に配設された嵌合部と、を備え、
前記連結具の嵌合部を前記上下枠及び左右縦枠のそれぞれの前記開口端に嵌合させるとともに、前記連結具の閉塞部を前記左右縦枠の前記開口端に当接し、前記左右縦枠の建物外部に露出する部分の前記開口端を前記閉塞部により覆う状態で、前記コーナー部を、前記連結具の嵌合部を介してビスにより固定して枠組みした、ことを特徴とする建物外部開口用半外付けサッシの枠組み構造である。
【０００８】
（作用効果）
請求項１記載の発明は、左右縦枠の建物外部に露出する部分の開口端を覆う閉塞部と、コーナー部に位置する上下枠及び左右縦枠のそれぞれの開口端に嵌合させるように直交する二方向に配設された嵌合部と、を備えた連結具とビスにより、上下枠の両端が前記左右枠の内周面に当接されて形成される四周のコーナー部を固定する構成をとっている。具体的には、連結具の嵌合部を上下枠及び左右縦枠のそれぞれの開口端に嵌合させるとともに、連結具の閉塞部を左右縦枠の開口端に当接し、左右縦枠の建物外部に露出する部分の開口端を閉塞部により覆う状態で、コーナー部を、連結具の嵌合部を介して固定することにより、ビス１本でコーナー部の確実な連結を行うことができる。
【０００９】
通常、ビス１本の固定であると、ビスの軸を中心とした円周方向に回動可能となり、これに起因する枠材間の連結ズレが生じるため、一般的に、ビス止めは２箇所以上で行われている。しかしながら、本発明では、ビス１本の固定でも、上記回動が嵌合部及び閉塞部の押圧等の働きにより抑制されるため、枠材間の連結ズレが生じることはない。そのため、枠組み作業の作業性を向上させることができる。
【００１０】
第２に、サッシ枠組み作業とともに、左右縦枠の建物外部に露出する部分の開口端の閉塞作業を同時に行うことができる。しかも、単なる嵌合手段のみによる結合ではなく、ビスによる螺着であるので、取付けは確実であり、気水密性は高い。
【００１１】
第３に、建物の躯体に取付ける以前の段階で、左右縦枠の建物外部に露出する部分の開口端の確実な閉塞作業を行ってしまうため、建物の躯体への取付け作業中に、不用意に閉塞部が上記開口端からずれる虞がない。
【００１２】
＜請求項２記載の発明＞
請求項２記載の発明は、前記枠材の本体部は、断面略Ｃ型溝状で、前記建物の躯体に向かって溝が形成されており、該溝縁部に前記取付け片を備えた、請求項１記載の建物外部開口用半外付けサッシの枠組み構造である。
【００１３】
（作用効果）
枠材の本体部が断面略Ｃ型溝状であるので、連結具の嵌合部を枠材の開口端（小口）方向から嵌入する必要がなく、溝が形成されている部分（側面）から嵌入することができる。
【００１４】
このことによって、開口端を有するが側面に溝が形成されていない枠体の枠組み作業では、例えば、上枠と縦枠とを連結させる際に、上枠若しくは縦枠の一方に連結具の嵌合部を嵌入し、一方の枠と連結具とが嵌合した状態で、他方の枠に連結具の他の直交する嵌合部を嵌入しなければならず、枠組み作業の手間が掛かる。それに対し、本発明では、枠体の溝が形成されている部分（側面）から嵌合部を嵌入することができるので、まず、上枠と縦枠との取り合い位置をある程度大雑把に決めて枠を組んだ状態で、それぞれの枠体の溝が形成されている部分（側面）に、直交する二方向に配設された嵌合部を備えた連結具を嵌入して嵌合させればよいので、枠組み作業の手間が楽である。
【００１５】
＜請求項３記載の発明＞
請求項３記載の発明は、前記枠材の本体部は、該本体部の両端部で、かつ建物の躯体に対向する面が切り欠かれ、該切欠きは、この切欠きから前記開口端に前記連結具の嵌合部を嵌合可能に構成され、この切欠き縁部に前記取付け片を備えた、請求項１記載の建物外部開口用半外付けサッシの枠組み構造である。
【００１６】
（作用効果）
枠材が、本体部の両端部で、かつ建物の躯体に対向する面が切り欠かれ、この切欠きの構成は、この切欠きから連結具の嵌合部を嵌合（若しくは嵌入）できるようになっているので、連結具の嵌合部を枠材の端（小口）方向から嵌入する必要がなく、切欠き部分（側面）から嵌入することができる。
【００１７】
このことによって、開口端を有するが側面に溝が形成されていない枠体の枠組み作業では、例えば、上枠と縦枠とを連結させる際に、上枠若しくは縦枠の一方に連結具の嵌合部を嵌入し、一方の枠と連結具とが嵌合した状態で、他方の枠に連結具の他の直交する嵌合部を嵌入しなければならず、枠組み作業の手間が掛かる。それに対し、本発明では、切欠き部分（側面）から嵌合部を嵌入することができるので、まず、上枠と縦枠との取り合い位置をある程度大雑把に決めて枠を組んだ状態で、それぞれの枠体の切欠き部分（側面）に、直交する二方向に配設された嵌合部を備えた連結具を嵌入して嵌合させればよいので、枠組み作業の手間が楽である。
【００１８】
＜請求項４記載の発明＞
請求項４記載の発明は、前記上下枠及び左右縦枠は、実質的に同一の横断面を有する、請求項１乃至３のいずれか１項記載の建物外部開口用半外付けサッシの枠組み構造である。
【００１９】
（作用効果）
上下枠及び左右縦枠は、実質的に同一の横断面を有することにより、部材の共有化が可能となるため、製造コストを抑えることができるばかりではなく、枠組み作業における取付けミス（例えば、上枠と下枠との取付け間違い等）がなくなり、結果的に、作業性を向上させることができる。
【００２０】
＜請求項５記載の発明＞
請求項５記載の発明は、前記連結具にはさらに、前記コーナー部に位置する前記上下枠及び左右縦枠のそれぞれの取付け片に当接し、これらを連結する連結片を備え、この連結片を介して、前記上下枠及び左右縦枠が建物開口部の躯体に取付けられる、請求項１乃至４のいずれか１項記載の建物外部開口用半外付けサッシの枠組み構造である。
【００２１】
（作用効果）
連結具は、コーナー部に位置する上下枠及び左右縦枠のそれぞれの取付け片に当接し、これらを連結する連結片を備えていることにより、ビス１本での固定に伴う回動を、嵌合部及び閉塞部と協働してさらに確実に抑制することができる。
【００２２】
また、連結具の連結片を介して、上下枠及び左右縦枠が建物開口部の躯体に取付けられることにより、同じく連結具の閉塞部による左右縦枠の建物外部に露出する部分の開口端（小口）のさらに確実な閉塞を行うことができる。
【００２３】
＜請求項６記載の発明＞
請求項６記載の発明は、前記連結具の閉塞部に封止材を設け、該封止材を介して前記左右縦枠の両端に当接させる構成とした、請求項１乃至５のいずれか１項記載の建物外部開口用半外付けサッシの枠組み構造である。
【００２４】
（作用効果）
封止材を介在させることにより、気水密性を高めることができる。
【００２５】
＜請求項７記載の発明＞
請求項７記載の発明は、前記封止材が圧縮可能な材料からなり、前記左右縦枠の上端部の内方部分から上枠及び下枠の内方部分へとビスを打ち込むときに、封止材の圧縮代を見込んで、前記上枠及び下枠の内方部に形成されたビスホールへのビスの打ち込む位置を決めて、前記連結具の嵌合部を介してビスを打ち込み、ビスの止め付け状態で、前記左右縦枠の建物外部に露出する部分の前記開口端を前記閉塞部に押圧させ封止材を圧縮させて封止の強化を図っている、請求項６記載の建物外部開口用半外付けサッシの枠組み構造である。
【００２６】
（作用効果）
ビス止め枠組み時において、連結具の閉塞部を左右縦枠の建物外部に露出する部分の開口端に押圧させ封止材を圧縮させると、封止（たとえば気水密）の強化を図ることができる。
【００２７】
【発明の実施の形態】
以下、本発明の実施の形態を説明する。
＜上下枠及び左右縦枠＞
本発明に係るサッシについて、主に、図１〜３に基づき説明する。なお、図１は、サッシの縦断面図、図２は、サッシの横断面図、図３（１）は、サッシの枠組みを躯体に取付けた状態を示す、室外側正面図であり、図３（２）は、コーナー部の拡大図である。
【００２８】
本発明に係るサッシは、上下枠１，２と左右縦枠３，４とをビス６及び連結具２１により固定し、枠組みしたものである。そして、上下枠１，２と左右縦枠３，４の内周面には、ガラス面１７を有する嵌め殺し障子１５が装着されている。
【００２９】
実施の形態での上下枠１，２及び左右縦枠３，４は、同一型材（横断面同一）からなるものであり、長手方向の両端に開口を有し、該両端は長手方向に対し直交する本体部と、該本体部に設けられ、この本体部を建物開口部の鉄骨７等の躯体に取付けるための取付け片１Ｄ，２Ｄ，３Ｄ，４Ｄと、を備えた枠材からなっている。ここで、本体部は、内周面１Ａ，２Ａ，３Ａ，４Ａと、室外面１Ｂ，２Ｂ，３Ｂ，４Ｂと、室外側外周面１Ｃ，２Ｃ，３Ｃ，４Ｃと、室内面１Ｅ，２Ｅ，３Ｅ，４Ｅと、室内側外周片１Ｆ，２Ｆ，３Ｆ，４Ｆと、を備えており、さらに上下枠１，２には、ビス挿入ホール１Ｇ，２Ｇを、左右縦枠３，４には、ビス孔３Ｈ，４Ｈを備えている。
【００３０】
具体的には、上下枠１，２及び左右縦枠３，４の内周を構成し、その内側に嵌め殺し障子１５をビス１９により装着可能な内周面１Ａ，２Ａ，３Ａ，４Ａと、この内周面１Ａ，２Ａ，３Ａ，４Ａの室外側端からサッシ枠の見付を形成する室外面１Ｂ，２Ｂ，３Ｂ，４Ｂが立設され、該室外面１Ｂ，２Ｂ，３Ｂ，４Ｂから、内周面１Ａ，２Ａ，３Ａ，４Ａと略平行的に折曲して室外側外周面１Ｃ，２Ｃ，３Ｃ，４Ｃが設けられており、該室外側外周面１Ｃ，２Ｃ，３Ｃ，４Ｃの室内側端から、鉄骨７等の躯体に上下枠１，２及び左右縦枠３，４を取付けるための取付け片１Ｄ，２Ｄ，３Ｄ，４Ｄが立設されている。また、内周面１Ａ，２Ａ，３Ａ，４Ａの室内側端から室内面１Ｅ，２Ｅ，３Ｅ，４Ｅが立設され、この室内面１Ｅ，２Ｅ，３Ｅ，４Ｅから、内周面１Ａ，２Ａ，３Ａ，４Ａと略平行的に折曲して室内側外周片１Ｆ，２Ｆ，３Ｆ，４Ｆが設けられている。
【００３１】
ここで、上下枠１，２及び左右縦枠３，４の枠材は、断面略Ｃ型溝状であり、内周面１Ａ，２Ａ，３Ａ，４Ａと、室外面１Ｂ，２Ｂ，３Ｂ，４Ｂと、室外側外周面１Ｃ，２Ｃ，３Ｃ，４Ｃと、室内面１Ｅ，２Ｅ，３Ｅ，４Ｅと、室内側外周片１Ｆ，２Ｆ，３Ｆ，４Ｆとによって囲まれる内方部分には、開口部１ａ，２ａ，３ａ，４ａが形成されており、また、室外側外周面１Ｃ，２Ｃ，３Ｃ，４Ｃと、室内側外周片１Ｆ，２Ｆ，３Ｆ，４Ｆとの間には、溝１ｂ，２ｂ，３ｂ，４ｂが形成されており、開口部１ａ，２ａ，３ａ，４ａの躯体に対向する一部が外方に開放されている。
【００３２】
さらに、上下枠１，２の内周面１Ａ，２Ａの開口部１ａ，２ａ側（内方側）には、上下枠１，２の両端が左右縦枠３，４の内周面３Ａ，４Ａに当接されて形成される四周のコーナー部をビス６により連結させるためのビス挿入ホール１Ｇ，２Ｇが、補強材を兼用して設けられている。
【００３３】
これら上下枠１，２及び左右縦枠３，４は、取付け片１Ｄ，２Ｄ，３Ｄ，４Ｄと、後述する連結具２１とを介してネジ８等の固着手段により、鉄骨７等の躯体に取付けられる。外装の仕上げは、タイルやパネル等の外壁９により、鉄骨７等の躯体と取付け片１Ｄ，２Ｄ，３Ｄ，４Ｄの一部を覆い、取付け片１Ｄ，２Ｄ，３Ｄ，４Ｄの覆われていない部分に、バックアップ材１０を装填した上で、上下枠１，２及び左右縦枠３，４と外壁９の隙間をコーキングなどのシーリング材１１等によりシールすることで形成される。また、内装については、室内面１Ｅ，２Ｅ，３Ｅ，４Ｅにビス１２により固定されたブラケット１３を介して、石膏ボード等の内装材１４が取付けられている。
【００３４】
＜連結具＞
本発明に係る連結具について、図４及び図５に基づいて説明する。なお、図４は、上枠１と左縦枠３を室外側から見た、連結具２１との取り合いを説明するための図である。また、図５（１）はコーナー部の平面図、図５（２）は第１の嵌合部２３及び第２の嵌合部２４の横断面図、図５（３）は、上枠１の長手方向からコーナー部を見た図であり、図５（４）は、室外側から見たコーナー部の正面図である。
【００３５】
連結具２１は、上下枠１，２の両端が左右縦枠３，４の内周面１Ａ，２Ａ，３Ａ，４Ａに当接されて形成される四周のコーナー部をビス６とともに、固定する部材である。
【００３６】
上記四周のコーナー部は、それぞれ位置的及び構造的に対称関係にあるので、以下では、上枠１及び左縦枠３により形成される部分のコーナー部に固定される連結具２１について説明する。
【００３７】
連結具２１の構成としては、左右縦枠３，４の両端を覆う閉塞部２２と、コーナー部に位置する上下枠１，２及び左右縦枠３，４のそれぞれの開口部１ａ，２ａ，３ａ，４ａの端に嵌合させるように直交する二方向に配設された第１の嵌合部２３及び第２の嵌合部２４と、上下枠１，２及び左右縦枠３，４のそれぞれの取付け片１Ｄ，２Ｄ，３Ｄ，４Ｄに室外側から当接し、これらを連結する連結片２５と、を備えている。
【００３８】
具体的には、繋ぎ板２６を介して、閉塞部２２、第１の嵌合部２３及び第２の嵌合部２４、連結片２５とは、一体的に成形されており、図４乃至５（１）で示すように、板状の閉塞部２２は、Ｙ方向に開口された、左右縦枠３，４の建物外部に露出する部分の開口部３ａ，４ａ端を覆い、また、断面コの字形の第１の嵌合部２３は、同じくＹ方向に開口された左右縦枠３，４の開口部３ａ，４ａ端の溝３ｂ，４ｂが形成された部分に嵌合し、同じく断面コの字形の第２の嵌合部２４は、Ｙ方向と直交するＸ方向に開口された、上下枠１，２の開口部１ａ，２ａ端の溝１ｂ，１ｂが形成された部分に嵌合し、さらに、略Ｌ字型板状の連結片２５は、上下枠１，２及び左右縦枠３，４のそれぞれの取付け片１Ｄ，２Ｄ，３Ｄ，４Ｄに室外側から面で当接するように、閉塞部２２の躯体側面に立設されている。
【００３９】
連結具２１の構成をさらに詳しく説明すると、閉塞部２２の機能は、左右縦枠３，４の建物外部に露出する部分の開口部３ａ，４ａ端を覆い、気水密性を確保するものであるから、開口部３ａ，４ａ端に当接する閉塞部２２の面に、ゴムなどの硬質樹脂や軟質樹脂、クッション材、各種発泡材等の弾性体からなる封止材２７を貼着等により固着させておくことが好適である。
【００４０】
また、第１の嵌合部２３は、左右縦枠３，４の内周面３Ａ，４Ａの開口部３ａ，４ａ側に当接する当接面２３Ａと、この当接面２３Ａの室内側及び室外側の両端には起立片２３Ｂ，２３Ｃと、を備え、繋ぎ板２６と一体になっており、具体的には、当接面２３Ａは、左右縦枠３，４の内周面３Ａ，４Ａの開口部３ａ，４ａ側に当接し、この当接面２３Ａに形成されたビス孔２３Ｄよりビス６が挿入され螺着されることにより、連結具２１は、四周のコーナー部を固定する。なお、ビス孔２３Ｄの位置は、上枠１に形成されたビス挿入ホール１Ｇの位置と一致するように形成されており、閉塞部２２に封止材２７を設ける場合は、その圧縮代を予め見込んでおく。また、起立片２３Ｂ，２３Ｃは、当接面２３Ａの両端から起立し、室内側外周片３Ｅの端と室外側外周面３Ｃの端に当接している。同様に、第２の嵌合部２４は、上下枠１，２の内周面１Ａ，２Ａの開口部１ａ，２ａ側に嵌合する起立片２４Ｂ，２４Ｃを備え、繋ぎ板２６と一体になっており、具体的には、起立片２４Ｂ，２４Ｃは、繋ぎ板２６室内側及び室外側の両端から起立し、室内側外周片１Ｅの端と室外側外周面１Ｃの端に当接するとともに、上下枠１，２の内周面１Ａ，２Ａの開口部１ａ，２ａ側に当接している。
【００４１】
さらに、連結片２５は、上下枠１，２及び左右縦枠３，４のそれぞれの取付け片１Ｄ，２Ｄ，３Ｄ，４Ｄに室外側から面で当接するように、取付け片１Ｄ，２Ｄ，３Ｄ，４Ｄの両端縁部と重なる重ね代を形成して、平面略Ｌ字型板状に形成され、閉塞部２２の躯体側面に立設されており、この重ね代部分には、取付け片１Ｄ，２Ｄ，３Ｄ，４Ｄを、連結片２５を介してネジ８を螺着し、鉄骨７に固着するためのネジ孔２５Ａ，２５Ｂが形成されている。この重ね代部分に形成されたネジ孔２５Ａ，２５Ｂの存在により、取付け片１Ｄ，２Ｄ，３Ｄ，４Ｄと連結具２１は一体的に鉄骨７に固定される。なお、タップビスなどで固定する場合等は、ネジ孔２５Ａ，２５Ｂを予め設けなくてもよい。
【００４２】
ここで、連結具２１が、閉塞部２２、第１の嵌合部２３及び第２の嵌合部２４、連結片２５を備えていることにより、以下の作用効果を有している。
【００４３】
すなわち、連結具２１の第１の嵌合部２３及び第２の嵌合部２４を上下枠１，２及び左右縦枠３，４のそれぞれの開口部１ａ，２ａ，３ａ，４ａの端に嵌合させるとともに、連結具２１の閉塞部２２を左右縦枠３，４の両端に当接し、左右縦枠３，４の建物外部に露出する部分の開口部３ａ，４ａの端を閉塞部２２により覆う状態で、コーナー部を、連結具２１の第１の嵌合部２３及び第２の嵌合部２４を介して固定することにより、ビス１本でコーナー部の確実な連結を行うことができる。通常、ビス１本の固定であると、ビスの軸を中心とした円周方向に回動可能となり、これに起因する枠材間の連結ズレが生じるため、一般的に、ビス止めは２箇所以上で行われている。しかしながら、本発明では、ビス１本の固定でも、ビス６の軸心を中心に回動する運動が、第１の嵌合部２３及び第２の嵌合部２４及び閉塞部２２の押圧等の働きにより抑制されるため、枠材間の連結ズレが生じることはない。そのため、枠組み作業の作業性を向上させることができる。
【００４４】
さらに、連結片２５が、取付け片１Ｄ，２Ｄ，３Ｄ，４Ｄを室外側から面で当接することにより、ビス１本での固定に伴う回動を、第１の嵌合部２３及び第２の嵌合部２４及び閉塞部２２と協働してさらに確実に抑制することができる。
【００４５】
＜枠組み及び取付け方法＞
次に、連結具２１及びビス６を用いて、上下枠１，２の両端が左右縦枠３，４の内周面１Ａ，２Ａ，３Ａ，４Ａに当接されて形成される四周のコーナー部を固定し、枠組みをする方法について説明するが、上記四周のコーナー部は、それぞれ位置的及び構造的に対称関係にあるので、以下では、上枠１及び左縦枠３により形成される部分のコーナー部を固定し、枠組みをする方法について説明する。
【００４６】
まず、上枠１と左縦枠３との取り合い位置を、ある程度大雑把に決めて枠を組んだ状態で、それぞれの枠体の溝が形成されている部分（側面）、すなわち、溝１ｂ，３ｂに、連結具２１の第１の嵌合部２３及び第２の嵌合部２４を嵌入して嵌合させる。
【００４７】
その後、第１の嵌合部２３の当接面２３Ａに形成されたビス孔２３Ｄと、左右縦枠３に形成されたビス孔３Ｈとに、ビス６を挿入し螺着させて固定する。
【００４８】
なお、閉塞部２２に封止材２７を設ける場合は、左縦枠３の上端部の開口部３ａの躯体に対向する一部が外方に開放されている溝３ｂから、上枠１の開口部１ａへとビス６を打ち込むときに、封止材２７の圧縮代を見込んで、上枠１の開口部１ａに形成されたビス挿入ホール１Ｇへのビス６の打ち込む位置を決めて、第１の嵌合部２３の当接面２３Ａを介してビス６を打ち込み、ビス６の止め付け状態で、左縦枠３の建物外部に露出する部分の開口部３ａ端を閉塞部２２に押圧させ封止材２７を圧縮させるようにすればよい。このように、ビス止め枠組み時において、連結具２１の閉塞部２２を左縦枠材３の開口部３ａの端に押圧させ封止材２７を圧縮させると、封止（たとえば気水密）の強化を図ることができる。
【００４９】
そして、上記と同様に、残りのコーナー部についても枠組みを行えばよい。
【００５０】
次に、組みあがった上下枠１，２及び左右縦枠３，４を、取付け片１Ｄ，２Ｄ，３Ｄ，４Ｄに形成された、図示しないネジ孔と、連結具２１の連結片２５に形成されたネジ孔２５Ａ，２５Ｂとに、ネジ８を挿入し螺着させて鉄骨７に固定すればよい。なお、タップビスなどで固定する場合は、取付け片１Ｄ，２Ｄ，３Ｄ，４Ｄにネジ孔を形成しなくても、さらに、連結具２１の連結片２５にネジ孔２５Ａ，２５Ｂを形成しなくてもよい。
【００５１】
＜上下枠及び左右縦枠の他の実施例＞
図６に示すように、他の実施例として、上下枠１０１、１０２及び左右縦枠１０３，１０４が考えられる。以下に、四周のコーナー部は位置的及び構造的に対称関係にあるので、上枠１０１と左縦枠１０３とのコーナー部についてのみ説明する。
【００５２】
これらの枠材の特徴は、第１に、先の実施例で示した、左縦枠３の上端部の開口部３ａの躯体に対向する一部が外方に開放されている溝３ｂが、切欠き部１０１Ｊ，１０３Ｊに置換され、連結具１２１の第１の嵌合部１２３及び第２の嵌合部１２４の躯体側から嵌入される部分が、切欠かれている点である。この切欠き部１０１Ｊ，１０３Ｊを、工場での製作時に製作してもよいし、現場で製作してもよい。
【００５３】
第２に、嵌め殺し障子を別途装着することなく、上枠１０１及び左縦枠１０３自体に、図示しないガラスを嵌め入れてしまうことである。すなわち、先の実施例で示した、開口部１ａ，３ａに相当する部分の中央に中央片１０１Ｋ，１０３Ｋが設けられ、そのため、図示しないガラスを嵌め入れるガラス溝１０１ｃ，１０３ｃが、開口部１０１ａ，１０３ａの室外側に形成されたことである。なお、これら中央片１０１Ｋ，１０３Ｋとガラス溝１０１ｃ，１０３ｃとを必ずしも形成する必要はなく、形成しない場合は、上下枠及び左右縦枠の内側に嵌め殺し障子１５を装着すればよい。
【００５４】
枠組み方法及び取付け方法については、枠組みの際に、ガラスを嵌め入れた上で、連結具１２１及びビス１０６で固定し、図示しないガスケットを嵌入する工程が異なるだけで、先の実施例と略同様なので、説明を省略する。
【００５５】
【発明の効果】
以上のとおり、本発明によれば、建物外部開口用半外付けサッシの枠組み構造において、枠組み作業を容易に行うことができるとともに、左右縦枠端部の気水密性を確実にすることができる等の利点がもたらされる。
【図面の簡単な説明】
【図１】本発明に係るサッシ縦断面図である。
【図２】その横断面図である。
【図３】その室外側から見た正面図及びコーナー部の拡大図である。
【図４】上枠と左縦枠、及び連結具の構成を説明するための図である。
【図５】コーナー部と連結具を説明するための図である。
【図６】枠材の他の実施例を説明するための図である。
【符号の説明】
１…上枠、２…下枠、３…左縦枠、４…右縦枠、１Ａ，２Ａ，３Ａ，４Ａ…内周面、１Ｂ，２Ｂ，３Ｂ，４Ｂ…室外面、１Ｃ，２Ｃ，３Ｃ，４Ｃ…室外側外周面、１Ｄ，２Ｄ，３Ｄ，４Ｄ…取付け片、１Ｅ，２Ｅ，３Ｅ，４Ｅ…室内面、１Ｆ，２Ｆ，３Ｆ，４Ｆ…室内側外周片、１Ｇ，２Ｇ…ビス挿入ホール、３Ｈ，４Ｈ…ビス孔、１ａ，２ａ，３ａ，４ａ…開口部、１ｂ，２ｂ，３ｂ，４ｂ…溝、６…ビス、７…鉄骨、８…ネジ、９…外壁、１０…バックアップ材、１１…シーリング材、１２…ビス、１３…ブラケット、１４…内装材、１５…嵌め殺し障子、１６…ビス、１７…ガラス面、２１…連結具、２２…閉塞部、２３…第１の嵌合部、２４…第２の嵌合部、２５…連結片、２６…繋ぎ板、２７…封止材、１０１…上枠、１０３…左縦枠、１０１Ｊ，１０３Ｊ…切欠き部、１０１Ｋ，１０３Ｋ…中央片、１０１ａ，１０３ａ…開口部、１０１ｃ，１０３ｃ…ガラス溝、１０６…ビス、１２１…連結具、１２３…第１の嵌合部、１２４…第２の嵌合部。
【図１】
2005030015.tif 000003
【図２】
2005030015.tif 000004
【図３】
2005030015.tif 000005
【図４】
2005030015.tif 000006
【図５】
2005030015.tif 000007
【図６】
2005030015.tif 000008